(57)【特許請求の範囲】
【請求項１】
配列されている複数の操作キーの表面を形成する透明なキートップと、
配列されている複数の操作キーの間隙を形成する透明なトップカバーと、
前記トップカバーの裏面の複数箇所に塗布されていて微細穴群が各々形成されている複数の発色のカバー塗料と、
前記操作キーごとに前記キートップの裏面に塗布されていて微細穴群が各々形成されている前記カバー塗料とは相違する種類のキー塗料と、
複数の前記操作キーの各々の裏面と前記トップカバーの発色が相違する複数箇所の少なくとも一部の裏面とに対向する位置に配置されていて発光する発光デバイスと、
前記発光デバイスが出射する光線を前記トップカバーの複数箇所の少なくとも一部ごとに前記発色に対応した範囲に制限するカバー遮光部材と、
前記発光デバイスが出射する光線を前記操作キーごとに前記キー塗料に対応した透光性で透過するキー調光部材と、
を有する入力操作装置。
【請求項２】
前記発光デバイスが出射する光線を前記操作キーごとに前記キー塗料に対応した範囲に制限するキー遮光部材を、さらに有する請求項１に記載の入力操作装置。
【請求項３】
前記カバー遮光部材と前記キー遮光部材とが一体に形成されている請求項２に記載の入力操作装置。
【請求項４】
前記キー調光部材は、特定の発色の少なくとも一層の塗膜で形成されている請求項１ないし３の何れか一項に記載の入力操作装置。
【請求項５】
前記キー調光部材は、白色の二層の前記塗膜で形成されている請求項４に記載の入力操作装置。
【発明の詳細な説明】
【技術分野】
【０００１】
本発明は、操作キーが配列されている入力操作装置に関し、特に、操作キーと操作キーの間隙との少なくとも一方が特定の発色に発光する入力操作装置に関する。
【背景技術】
【０００２】
現在、操作キーが配列されている入力操作装置が携帯電話端末などに利用されている。以前の携帯電話端末等の入力操作装置では、操作キーなどをＬＥＤなどの発光デバイスで発光させるため、トップカバーのＬＥＤ発光範囲に透過性のあるアルミやスズなどの蒸着を施していた。
【０００３】
しかし、蒸着の場合、見た目が光っているため周辺の色との調和が難しくデザイン上の制約が多かった。また蒸着はコストも高い。そこで、レーザー加工により印刷上に微細穴群を形成し、これで発光範囲を形成して光線を透過させる構造が開発された。
【０００４】
このような携帯電話端末の一従来例を、図４ないし図８を参照して以下に説明する。ここで例示する携帯電話端末１００は、図４に示すように、折り畳み構造に形成されており、ディスプレイユニット１１０と入力操作装置であるキーボードユニット２００とが開閉自在に連結されている。
【０００５】
このキーボードユニット２００は、詳細には後述するが、配列されている複数の操作キー２１０の表面を形成する透明なキートップ２１１と、配列されている複数の操作キー２１０の間隙を形成する透明なトップカバー２２０と、トップカバー２２０の裏面の複数箇所に塗布されていてレーザ加工で微細穴群２２２が各々形成されている複数の発色のカバー塗料２２１と、操作キー２１０ごとにキートップ２１１の裏面に塗布されていてレーザ加工で微細穴群２１３が各々形成されているカバー塗料２２１とは相違する種類のキー塗料２１２と、複数の操作キー２１０の各々の裏面とトップカバー２２０の発色が相違する複数箇所の少なくとも一部の裏面とに対向する位置に配置されていて発光するＬＥＤ２３０と、を有する。
【０００６】
より具体的には、ここで例示する携帯電話端末１００では、図４に示すように、キーボードユニット２００が、キーシート２０１とキーボードハウジング２０２からなる。キーシート２０１は、図５および図６に示すように、操作キー２１０やトップカバー２２０などのアッセンブリーとして形成されている。
【０００７】
なお、図６は図５の矢視断面図である。キーシート２０１では、図６に示すように、透明なウレタンシート２０３に貼り付けられたキートップ２１１の周辺を覆うようにトップカバー２２０が貼り付けられている。
【０００８】
トップカバー２２０は透明なＰＥＴ(Polyethylene Terephthalate)シートで形成されており、図８に示すように、裏面（ウレタンシート側）に二色のカバー塗料２２１ａ、２２１ｂが印刷されている。
【０００９】
図７のハッチング部は銀色のカバー塗料２２１ａ、それ以外は白色のカバー塗料２２１ｂで印刷されている。また、キートップ２１１は透明な樹脂で形成されており、裏面（ウレタンシート側）に光透過性の高い白色のキー塗料２１２が印刷されている。
【００１０】
図６に示すように、キーボードハウジング２０２の内面には、例えば、二十個のＬＥＤ２３０を搭載した基板２３１が貼り付けられており、その上にキーシート２０１が貼り付けられている。
【００１１】
図５に示すように、トップカバー２２０のカバー塗料２２１ａ，２２１ｂには、十八個のＬＥＤ２３０に対向する位置それぞれに、レーザー加工により図示の範囲より、やや広い範囲で微細穴群２１３ａ，２１３ｂが開けられている。
【００１２】
例示する携帯電話端末１００では、例えば、直径φ0.1ｍｍの穴がピッチ0.25ｍｍで形成されている。微細穴群２１３は印刷の塗料を消すためのもので、トップカバー自身に微細穴群２１３が開いているものではない。
【００１３】
キートップ２１１に対向する位置にＬＥＤ２３０がある二箇所については、キートップ２１１の印刷に同様な微細穴群２２２が開けられている。図６および図７に示すように、前述のようにトップカバー２２０は二色のカバー塗料２２１ａ，２２１ｂに分かれた印刷になっているので、図５に示すように、ＬＥＤ２３０に対応した発光部分２２３が各色に分かれて配置されている。
【００１４】
上述のような携帯電話端末１００では、キーボードユニット２００のトップカバー２２０の発光部分２２３がカバー塗料２２１ａ，２２１ｂに対応した二色に発光するとともに、操作キー２１０もキー塗料２１２に対応した発色で発光する。このため、夜間などでもキーボードユニット２００を良好に手動操作することができ、外観も美麗である。
【００１５】
現在、上述のようなキーボードユニットに利用できる技術として、発光手段からの光を均一に操作キーに導きながら、操作キーを感触のよいものとし、かつ誤動作の起こりにくいものとする提案がある。
【００１６】
その技術では、プリント基板を覆う筐体本体のキー用貫通孔内に、ステンレスシート（キーシート）にスリットを仕切ることにより複数の操作キーを形成する。ステンレスシートの裏面にスリットから表面側へ膨出し、裏面側が溝状に開口した突条部を有するウレタンシートを貼り付け、ウレタンシートの裏面に複数の基板上の固定接点に対応する位置に基板側へ突出する複数の突出部を有するラバー層を貼り付ける。
【００１７】
ラバー層よりも基板側にＬＥＤ（発光手段）と導光シートを設ける。ラバー層における突条部の裏面側に対応する部分に、突条部に隣接する操作キー同士が同時に押し下げられるのを防止する凹溝（誤動作防止手段）を設ける（例えば、特許文献１参照）。
【先行技術文献】
【特許文献】
【００１８】
【特許文献１】特開２００９−０３３６００号公報
【発明の概要】
【発明が解決しようとする課題】
【００１９】
例示した携帯電話端末１００では、キーボードユニット２００のトップカバー２２０の発光部分２２３をカバー塗料２２１ａ，２２１ｂに対応した二色に発光させることができ、操作キー２１０もキー塗料２１２に対応した発色に発光させることができる。
【００２０】
しかし、微細穴は、例えば、図８(ａ)に示すように、レーザーにより微細直径になるようにカバー塗料２２１ａを削除したものである。カバー塗料２２１ｂのように白色部分の場合、図８(ｂ)に示すように、カバー塗料２２１ｂを完全に削除することができない。これは白色がレーザー光を良好に反射してしまうためである。
【００２１】
このため、図８(ａ)に示すように、トップカバー２２０の銀色の発光部分２２３では、微細穴群２１３ａの各穴が完全に開いており、ＬＥＤ２３０の発光が強く見える。一方、図８(ｂ)に示すように、トップカバー２２０の白色の発光部分２２３では、微細穴群２１３ｂの各穴が不完全であるため、ＬＥＤ２３０の発光が弱く見える。
【００２２】
また、図８(ｃ)に示すように、操作キー２１０のキートップ２１１では、キー塗料２１２が白色のため微細穴群２２２の各穴は不完全であるが、透過性が高いキー塗料２１２のため光の見え方は比較的強い。
【００２３】
従来の携帯電話端末１００では、以上の通り、キーボードユニット２００の各部で発光の強さがまちまちであり、キーシート２０１内全体での光の見え方が不揃いとなっていた。
【００２４】
本発明は上述のような課題に鑑みてなされたものであり、複数箇所の塗料の種類や発色が相違しても発光の強度を均等にすることができる入力操作装置を提供するものである。
【課題を解決するための手段】
【００２５】
本発明の入力操作装置は、配列されている複数の操作キーの表面を形成する透明なキートップと、配列されている複数の操作キーの間隙を形成する透明なトップカバーと、トップカバーの裏面の複数箇所に塗布されていてレーザ加工で微細穴群が各々形成されている複数の発色のカバー塗料と、操作キーごとにキートップの裏面に塗布されていてレーザ加工で微細穴群が各々形成されているカバー塗料とは種類が相違するキー塗料と、複数の操作キーの各々の裏面とトップカバーの発色が相違する複数箇所の少なくとも一部の裏面とに対向する位置に配置されていて発光する発光デバイスと、発光デバイスが出射する光線をトップカバーの複数箇所の少なくとも一部ごとに発色に対応した範囲に制限するカバー遮光部材と、発光デバイスが出射する光線を操作キーごとにキー塗料に対応した透光性で透過するキー調光部材と、を有する。
【００２６】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２７】
操作キーごとにキートップの裏面にカバー塗料が塗布されているとは、例えば、複数の操作キーのキートップが配列されて形成されている一枚のキーシートの裏面がカバー塗料で一様に塗布されていることも許容する。
【発明の効果】
【００２８】
本発明の入力操作装置では、発光デバイスが出射する光線をトップカバーの複数箇所の少なくとも一部ごとに発色に対応した範囲にカバー遮光部材が制限し、発光デバイスが出射する光線を操作キーごとにキー塗料に対応した透光性でキー調光部材が透過する。このため、例えば、発色が相違するカバー塗料の特性のために複数のトップカバーの複数箇所で微細穴群の深度が相違するとともに、種類が相違するキー塗料の特性のために操作キーの微細穴群の深度や透光性が相違しても、トップカバーの複数箇所と複数の操作キーとで発光の輝度を均等とすることができる。
【図面の簡単な説明】
【００２９】
【図１】本発明の実施の形態の入力操作装置であるキーボードユニットの各部の内部構造を示す模式的な縦断側面図である。
【図２】キーボードユニットを有する携帯電話端末の外観を示す斜視図である。
【図３】カバー遮光部材およびキー遮光部材となるウレタンシートの外観を示す模式的な正面図である。
【図４】一従来例の携帯電話端末の外観を示す斜視図である。
【図５】入力操作装置であるキーボードユニットの外観を示す正面図である。
【図６】キーボードユニットの要部の内部構造を示す図５の矢視断面図である。
【図７】トップカバーのカバー塗料の配色を示す模式的な正面図である。
【図８】キーボードユニットの各部の内部構造を示す模式的な縦断側面図である。
【発明を実施するための形態】
【００３０】
本発明の実施の一形態を図面を参照して以下に説明する。ただし、本実施の形態に関して前述した一従来例と同一の部分は、同一の名称を使用して詳細な説明は省略する。
本実施の形態の携帯電話端末３００も、図２に示すように、従来の携帯電話端末１００と同様に、ディスプレイユニット１１０と入力操作装置であるキーボードユニット４００とが開閉自在な折り畳み構造に形成されている。
【００３１】
このキーボードユニット４００は、配列されている複数の操作キー２１０の表面を形成する透明なキートップ２１１と、配列されている複数の操作キー２１０の間隙を形成する透明なトップカバー２２０と、トップカバー２２０の裏面の複数箇所に塗布されていてレーザ加工で微細穴群２２２が各々形成されている複数の発色のカバー塗料２２１と、操作キー２１０ごとにキートップ２１１の裏面に塗布されていてレーザ加工で微細穴群２１３が各々形成されているカバー塗料２２１とは相違する種類のキー塗料２１２と、複数の操作キー２１０の各々の裏面とトップカバー２２０の発色が相違する複数箇所の少なくとも一部の裏面とに対向する位置に配置されていて発光するＬＥＤ２３０と、ＬＥＤ２３０が出射する光線をトップカバー２２０の複数箇所の少なくとも一部ごとに発色に対応した範囲に開口孔２４１で制限するカバー遮光部材２４０と、ＬＥＤ２３０が出射する光線を操作キー２１０ごとにキー塗料２１２に対応した透光性で透過するキー調光部材２５０と、を有する。
【００３２】
また、本実施の形態のキーボードユニット４００は、ＬＥＤ２３０が出射する光線を複数の操作キー２１０ごとに開口孔２４１で制限するキー遮光部材を、さらに有する。ただし、このキー遮光部材はカバー遮光部材２４０と一体に形成されている。キー調光部材２５０は、特定の発色の少なくとも一層の塗膜で形成されており、詳細には後述するが、本実施の形態では白色の二層の塗膜で形成されている。
【００３３】
より具体的には、本実施の形態の携帯電話端末３００も、キーボードユニット４００が、キーシート２０１とキーボードハウジング２０２からなり、キーシート２０１は、操作キー２１０やトップカバー２２０などのアッセンブリーとして形成されている。
【００３４】
キーシート２０１では、透明なウレタンシート２０３に貼り付けられたキートップ２１１の周辺を覆うようにトップカバー２２０が貼り付けられている。
【００３５】
トップカバー２２０は透明なＰＥＴシートで形成されており、裏面（ウレタンシート側）に銀色のカバー塗料２２１ａと白色のカバー塗料２２１ｂとが印刷されている。また、キートップ２１１は透明な樹脂で形成されており、裏面（ウレタンシート側）に光透過性の高い白色のキー塗料２１２が印刷されている。
【００３６】
キーボードハウジング２０２の内面には、例えば、二十個のＬＥＤ２３０を搭載した基板２３１が貼り付けられており、その上にキーシート２０１が貼り付けられている。トップカバー２２０のカバー塗料２２１ａ，２２１ｂには、十八個のＬＥＤ２３０に対向する位置それぞれに、レーザー加工により図示の範囲より、やや広い範囲で微細穴群２１３ａ，２１３ｂが開けられている。
【００３７】
本実施の形態の携帯電話端末３００も、例えば、直径φ0.1ｍｍの穴がピッチ0.25ｍｍで形成されている。微細穴群２１３は印刷の塗料を消すためのもので、トップカバー自身に微細穴群２１３が開いているものではない。
【００３８】
キートップ２１１に対向する位置にＬＥＤ２３０がある二箇所については、キートップ２１１の印刷に同様な微細穴群２２２が開けられている。前述のようにトップカバー２２０は二色のカバー塗料２２１ａ，２２１ｂに分かれた印刷になっているので、ＬＥＤ２３０に対応した発光部分２２３が各色に分かれて配置されている。
【００３９】
ただし、本実施の形態の携帯電話端末３００のキーボードユニット４００では、図３に示すように、ウレタンシート２０３の裏面（ＬＥＤ側）には遮光印刷からなるカバー遮光部材２４０によりＬＥＤ２３０を発光させる開口孔２４１ａ，２４１ｂが形成されており、トップカバー２２０の銀色部分に対応する開口孔２４１ａは、白色部分に対応する場所より開口孔２４１ｂが狭く設定されている。
【００４０】
本実施の形態では、銀色部分に対応する場所は０．８ｍｍ、白色部分に対応する場所は１．３ｍｍとなっている。微細穴群２１３ａ、２１３ｂ、２２２の範囲は、遮光印刷の開口孔２４１ａ，２４１ｂ，２４１ｃよりも、やや大きめになっている。
【００４１】
キートップ２１１の二箇所の開口孔２４１ｃは、トップカバー２２０の白色部分に対応する開口孔２４１ｂと同等の大きさで、その発光範囲には、キー調光部材２５０として、白色の塗料が二回重ねて印刷されている。
【００４２】
本実施の形態の携帯電話端末３００のキーボードユニット４００では、図１(ａ)に示すように、トップカバー２２０の銀色のカバー塗料２２１ａの部分では、カバー遮光部材２４０により発光範囲を０．８ｍｍまで絞り込み、ＬＥＤ２３０の発光範囲を制限している。
【００４３】
一方、図１(ｂ)に示すように、トップカバー２２０の白色のカバー塗料２２１ｂの部分では、カバー遮光部材２４０により発光範囲を白色部分より広めに1.3ｍｍの設定としている。
【００４４】
さらに、図１(ｃ)に示すように、キートップ２１１のキー塗料２１２の部分では、キー遮光部材でもあるカバー遮光部材２４０により発光範囲を1.3ｍｍとし、さらに白色の塗膜を二回重ねて印刷してキー調光部材２５０としている。
【００４５】
上述のような構成において、本実施の形態の携帯電話端末３００も、キーボードユニット４００のトップカバー２２０の発光部分２２３がカバー塗料２２１ａ，２２１ｂに対応した二色に発光するとともに、操作キー２１０もキー塗料２１２に対応した発色で発光する。このため、夜間などでもキーボードユニット４００を良好に手動操作することができ、外観も美麗である。
【００４６】
例示した携帯電話端末３００では、キーボードユニット４００のトップカバー２２０の発光部分２２３をカバー塗料２２１ａ，２２１ｂに対応した二色に発光させることができ、操作キー２１０もキー塗料２１２に対応した発色に発光させることができる。
【００４７】
しかし、微細穴は、例えば、図１(ａ)に示すように、レーザーにより微細直径になるようにカバー塗料２２１ａを削除したものである。カバー塗料２２１ｂのように白色の場合、図１(ｂ)に示すように、カバー塗料２２１ｂを完全に削除することができない。これは白色がレーザー光を良好に反射してしまうためである。
【００４８】
このため、図１(ａ)に示すように、トップカバー２２０の銀色の発光部分２２３では、微細穴群２１３ａの各穴が完全に開いており、ＬＥＤ２３０の発光が強く見えることになる。
【００４９】
一方、図１(ｂ)に示すように、トップカバー２２０の白色の発光部分２２３では、微細穴群２１３ｂの各穴が不完全であるため、ＬＥＤ２３０の発光が弱く見えることになる。
【００５０】
一方、図１(ｃ)に示すように、操作キー２１０のキートップ２１１では、キー塗料２１２が白色のため微細穴群２２２の各穴は不完全であるが、透過性が高いキー塗料２１２のため光の見え方は比較的強いことになる。
【００５１】
しかし、本実施の形態のキーボードユニット４００では、図１(ａ)に示すように、トップカバー２２０の銀色のカバー塗料２２１ａの部分では、カバー遮光部材２４０により発光範囲を０．８ｍｍまで絞り込み、ＬＥＤ２３０の発光範囲を制限している。
【００５２】
一方、図１(ｂ)に示すように、トップカバー２２０の白色部分のカバー塗料２２１ｂの部分では、カバー遮光部材２４０により発光範囲を白色部分より広めに1.3ｍｍの設定としている。
【００５３】
さらに、図１(ｃ)に示すように、キートップ２１１のキー塗料２１２の部分では、キー遮光部材でもあるカバー遮光部材２４０により発光範囲を1.3ｍｍとし、さらに白色の塗膜を二回重ねて印刷してキー調光部材２５０としている。
【００５４】
本実施の形態の携帯電話端末３００のキーボードユニット４００では、上述のようにＬＥＤ２３０が出射する光線をトップカバー２２０の複数箇所の少なくとも一部ごとに発色に対応した範囲にカバー遮光部材２４０が制限し、ＬＥＤ２３０が出射する光線を操作キー２１０ごとにキー塗料２１２に対応した透光性でキー調光部材２５０が透過する。
【００５５】
このため、上述のように種類が相違するキー塗料２１２の特性のために複数の操作キー２１０で微細穴群２２２の深度や透光性が相違するとともに、発色が相違するカバー塗料２２１の特性のためにトップカバー２２０の複数箇所で微細穴群２１３の深度が相違しても、微細穴群２２２，２１３を透過した発光の輝度を複数の操作キー２１０とトップカバー２２０の複数箇所とで均等とすることができる。
【００５６】
しかも、本実施の形態のキーボードユニット４００では、ＬＥＤ２３０が出射する光線をトップカバー２２０の複数箇所の少なくとも一部ごとに発色に対応した範囲にキー遮光部材が開口孔２４１で制限する。このため、より確実に複数の操作キー２１０とトップカバー２２０の複数箇所とで発光の輝度を均等とすることができる。
【００５７】
特に、キー遮光部材とカバー遮光部材２４０とが一体に形成されている。従って、簡単な構造で複数の操作キー２１０とトップカバー２２０の複数箇所とで発光の輝度を均等とすることができる。
【００５８】
さらに、キー調光部材２５０は、特定の発色の少なくとも一層の塗膜で形成されている。特に、キー調光部材２５０は、白色の二層の塗膜で形成されている。このため、ＬＥＤ２３０の発光に不要な発色が付加されることがなく、簡単な構造で複数の操作キー２１０とトップカバー２２０の複数箇所とで発光の輝度を均等とすることができる。
【００５９】
なお、本発明は本実施の形態に限定されるものではなく、その要旨を逸脱しない範囲で各種の変形を許容する。例えば、上記形態では入力操作装置が折り畳み構造の携帯電話端末３００のキーボードユニット４００からなることを例示した。
【００６０】
しかし、入力操作装置が、スライド構造やソリッド構造の携帯電話端末のキーボードユニットからなること、折り畳み構造やスライド構造やソリッド構造のＰＤＡ（Personal Digital Assistance）や電子辞書のキーボードユニットからなること、等でもよい（図示せず）。
【００６１】
さらに、上記形態では発光させる複数の操作キー２１０とトップカバー２２０の複数箇所との裏側の各々に点光源からなるＬＥＤ２３０が個々に配置されていることを例示した。しかし、トップカバー２２０の裏側一面に有機ＥＬ(Electro-Luminescence)ディスプレイなどの面光源が配置されていてもよい(図示せず)。
【００６２】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
＜付記＞
＜発明１＞
配列されている複数の操作キーの表面を形成する透明なキートップと、
配列されている複数の操作キーの間隙を形成する透明なトップカバーと、
前記トップカバーの裏面の複数箇所に塗布されていてレーザ加工で微細穴群が各々形成されている複数の発色のカバー塗料と、
前記操作キーごとに前記キートップの裏面に塗布されていてレーザ加工で微細穴群が各々形成されている前記カバー塗料とは相違する種類のキー塗料と、
複数の前記操作キーの各々の裏面と前記トップカバーの発色が相違する複数箇所の少なくとも一部の裏面とに対向する位置に配置されていて発光する発光デバイスと、
前記発光デバイスが出射する光線を前記トップカバーの複数箇所の少なくとも一部ごとに前記発色に対応した範囲に制限するカバー遮光部材と、
前記発光デバイスが出射する光線を前記操作キーごとに前記キー塗料に対応した透光性で透過するキー調光部材と、
を有する入力操作装置。
＜発明２＞
前記発光デバイスが出射する光線を前記操作キーごとに前記キー塗料に対応した範囲に制限するキー遮光部材を、さらに有する発明１に記載の入力操作装置。
＜発明３＞
前記カバー遮光部材と前記キー遮光部材とが一体に形成されている発明２に記載の入力操作装置。
＜発明４＞
前記キー調光部材は、特定の発色の少なくとも一層の塗膜で形成されている発明１ないし３の何れかに記載の入力操作装置。
＜発明５＞
前記キー調光部材は、白色の二層の前記塗膜で形成されている発明４に記載の入力操作装置。
【符号の説明】
【００６３】
１００    携帯電話端末
１１０    ディスプレイユニット
２００    キーボードユニット
２０１    キーシート
２０２    キーボードハウジング
２０３    ウレタンシート
２１０    操作キー
２１１    キートップ
２１２    キー塗料
２１３    微細穴群
２１３ａ，２１３ｂ    微細穴群
２２０    トップカバー
２２１    カバー塗料
２２１ａ，２２１ｂ    カバー塗料
２２２    微細穴群
２２３    発光部分
２３０    ＬＥＤ
２３１    基板
２４０    カバー遮光部材
２４１    開口孔
２４１ａ，２４１ｂ，２４１ｃ    開口孔
２５０    キー調光部材
３００    携帯電話端末
４００    キーボードユニット
【図１】
0005392838.tif 000002
【図２】
0005392838.tif 000003
【図３】
0005392838.tif 000004
【図４】
0005392838.tif 000005
【図５】
0005392838.tif 000006
【図６】
0005392838.tif 000007
【図７】
0005392838.tif 000008
【図８】
0005392838.tif 000009